【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
液体を吐出するための吐出素子と、前記吐出素子を駆動するための駆動部と、をそれぞれ有する複数の吐出ユニットと、
前記複数の吐出ユニットのそれぞれに配線を介して電源を供給するための端子部と、を含み、
前記複数の吐出ユニットは、第１吐出ユニットと第２吐出ユニットとを含み、
前記第１吐出ユニットは、前記吐出素子のうち第１吐出素子と、前記駆動部のうち第１駆動部と、を有し、
前記第２吐出ユニットは、前記吐出素子のうち第２吐出素子と、前記駆動部のうち第２駆動部と、を有し、
前記端子部から前記第１吐出ユニットまでの電流経路の長さは、前記端子部から前記第２吐出ユニットまでの電流経路の長さよりも大きく、
前記第１駆動部の抵抗は、前記第２駆動部の抵抗よりも小さいことを特徴とする半導体装置。
【請求項２】
前記端子部から前記複数の吐出ユニットのそれぞれまでの電流経路の長さが大きくなるに従って、前記複数の吐出ユニットのそれぞれに含まれる前記駆動部の抵抗が、連続的または段階的に小さくなることを特徴とする請求項１に記載の半導体装置。
【請求項３】
前記端子部は、前記第１吐出素子と前記第２吐出素子とが並ぶ方向と平行な方向に並ぶ複数の端子を含むことを特徴とする請求項１または２に記載の半導体装置。
【請求項４】
前記端子部は、電源端子と接地端子とを含むことを特徴とする請求項１乃至３の何れか１項に記載の半導体装置。
【請求項５】
前記第１駆動部は、第１トランジスタを含み、
前記第２駆動部は、第２トランジスタを含み、
前記第１吐出ユニットは、一端と他端との間で前記第１駆動部と前記第１吐出素子とが直列に接続され、
前記第２吐出ユニットは、一端と他端との間で前記第２駆動部と前記第２吐出素子とが直列に接続され、
前記第１駆動部の抵抗は、前記第１トランジスタのオン抵抗であり、
前記第２駆動部の抵抗は、前記第２トランジスタのオン抵抗であることを特徴とする請求項４に記載の半導体装置。
【請求項６】
前記第１駆動部は、第１トランジスタ及び第３トランジスタを含み、
前記第２駆動部は、第２トランジスタ及び第４トランジスタを含み、
前記第１吐出ユニットは、一端と他端との間で前記第１トランジスタ、前記第１吐出素子、前記第３トランジスタの順で直列に接続され、
前記第２吐出ユニットは、一端と他端との間で前記第２トランジスタ、前記第２吐出素子、前記第４トランジスタの順で直列に接続され、
前記第１吐出ユニットの前記一端と前記第２吐出ユニットの前記一端とが接続され、
前記第１吐出ユニットの前記他端と前記第２吐出ユニットの前記他端とが接続され、
前記第１駆動部の抵抗は、前記第１トランジスタおよび前記第３トランジスタのオン抵抗であり、
前記第２駆動部の抵抗は、前記第２トランジスタおよび前記第４トランジスタのオン抵抗であり、
前記第１トランジスタのオン抵抗が前記第２トランジスタのオン抵抗よりも小さく、前記第３トランジスタのオン抵抗が前記第４トランジスタのオン抵抗よりも小さいことを特徴とする請求項４に記載の半導体装置。
【請求項７】
前記第１トランジスタおよび前記第２トランジスタにおいて、
前記第１トランジスタのチャネル幅が前記第２トランジスタのチャネル幅よりも大きい、および、前記第１トランジスタのチャネル長が第２トランジスタのチャネル長よりも小さい、のうち少なくとも一方を満たすことを特徴とする請求項５または６に記載の半導体装置。
【請求項８】
前記第１トランジスタおよび前記第２トランジスタにおいて、
前記第１トランジスタに印加されるゲート電圧が、前記第２トランジスタに印加されるゲート電圧よりも大きいことを特徴とする請求項５または６に記載の半導体装置。
【請求項９】
前記配線が、前記電源端子と前記複数の吐出ユニットのそれぞれの前記一端とを接続する電源配線と、前記接地端子と前記複数の吐出ユニットのそれぞれの前記他端とを接続する接地配線と、を含むことを特徴とする請求項５乃至８の何れか１項に記載の半導体装置。
【請求項１０】
前記複数の吐出ユニットは、前記複数の吐出ユニットのうち１つ以上の吐出ユニットを含む複数の吐出ユニット群を有し、
前記配線が、前記電源端子と前記複数の吐出ユニット群のうち何れかの吐出ユニット群に含まれる吐出ユニットのそれぞれの前記一端とを接続する複数の電源配線と、前記接地端子と前記複数の吐出ユニット群のうち何れかの吐出ユニット群に含まれる吐出ユニットのそれぞれの前記他端とを接続する複数の接地配線と、を含み、
前記複数の吐出ユニット群は、第１吐出ユニット群と第２吐出ユニット群とを含み、
前記端子部から前記第１吐出ユニット群までの電流経路の長さは、前記端子部から前記第２吐出ユニット群までの電流経路の長さよりも大きく、
前記複数の電源配線および前記複数の接地配線のうち前記第１吐出ユニット群に接続される電源配線および接地配線の単位長さ当たりの平均の配線抵抗が、前記複数の電源配線および前記複数の接地配線のうち前記第２吐出ユニット群に接続される電源配線および接地配線の単位長さ当たりの平均の配線抵抗よりも小さいことを特徴とする請求項５乃至８の何れか１項に記載の半導体装置。
【請求項１１】
前記複数の吐出ユニットが、第１の方向と平行な複数の列と、前記第１の方向と交差する第２の方向と平行な複数の行と、を構成するように配され、
前記配線が、前記電源端子と前記複数の吐出ユニットのそれぞれの前記一端とを接続する電源配線と、前記接地端子と前記複数の吐出ユニットのそれぞれの前記他端とを接続する接地配線と、を含むことを特徴とする請求項５乃至８の何れか１項に記載の半導体装置。
【請求項１２】
前記電源配線と前記接地配線とは、それぞれ格子状の配線パターンを有し、前記複数の吐出ユニットの上に積層するように配され、
前記複数の吐出ユニットは、前記複数の行のそれぞれにおいて、同じ行に含まれるそれぞれの前記駆動部の抵抗が、互いに同じ値を有し、
前記複数の吐出ユニットは、第１の行に含まれる吐出ユニットと、第２の行に含まれる吐出ユニットと、を含み、
前記第１の方向に前記端子部から前記第１の行までの距離は、前記第１の方向に前記端子部から前記第２の行までの距離よりも大きく、
前記第１の行に含まれる吐出ユニットのそれぞれが有する前記駆動部の抵抗が、前記第２の行に含まれる吐出ユニットのそれぞれが有する前記駆動部の抵抗よりも小さいことを特徴とする請求項１１に記載の半導体装置。
【請求項１３】
第１の方向に平行な第１の辺および第２の辺と前記第１の方向と交差する第２の方向に平行な第３の辺および第４の辺とを含む基板に配され、液体を吐出するための吐出素子と前記吐出素子を駆動するための駆動部とをそれぞれ有する複数の吐出ユニットと、
前記第１の方向において、前記第３の辺と前記複数の吐出ユニットが配される領域との間に配され、前記複数の吐出ユニットのそれぞれに配線を介して電源を供給するための電源端子および接地端子を含む端子部と、を含み、
前記第１の方向と前記第２の方向とは直交せず、
前記第１の辺または前記第１の辺の延長線と、前記第３の辺または前記第３の辺の延長線と、によって構成される頂点の内角が鈍角であり、
前記配線が、前記電源端子と前記複数の吐出ユニットのそれぞれの一端とを接続する電源配線と、前記接地端子と前記複数の吐出ユニットのそれぞれの他端とを接続する接地配線と、を含み、
前記電源配線と前記接地配線とは、それぞれ格子状の配線パターンを有し、前記複数の吐出ユニットの上に積層するように配され、
前記複数の吐出ユニットは、第１吐出ユニットと第２吐出ユニットとを含み、
前記第１吐出ユニットは、前記吐出素子のうち第１吐出素子と、前記駆動部のうち第１駆動部と、を有し、
前記第２吐出ユニットは、前記吐出素子のうち第２吐出素子と、前記駆動部のうち第２駆動部と、を有し、
前記第１吐出ユニットから前記第３の辺までの距離は、前記第２吐出ユニットから前記第３の辺までの距離よりも大きく、
前記第１駆動部の抵抗は、前記第２駆動部の抵抗よりも小さいことを特徴とする半導体装置。
【請求項１４】
前記第１吐出ユニットから前記第１の辺までの距離は、前記第２吐出ユニットから前記第１の辺までの距離よりも小さいことを特徴とする請求項１３に記載の半導体装置。
【請求項１５】
前記複数の吐出ユニットのそれぞれは、吐出ユニットと前記電源端子との間の前記配線の配線抵抗、当該吐出ユニットと前記接地端子との間の前記配線の配線抵抗、および、当該吐出ユニットに含まれる前記駆動部の抵抗の合計が互いに同じであることを特徴とする請求項４乃至１４の何れか１項に記載の半導体装置。
【請求項１６】
液体を吐出する吐出口と、前記吐出口から液体の吐出を制御するように配された請求項１乃至１５の何れか１項に記載の半導体装置と、を備えることを特徴とする液体吐出ヘッド。
【請求項１７】
請求項１６に記載の液体吐出ヘッドと、液体を保持する容器と、を備えることを特徴とする液体吐出ヘッドカートリッジ。
【請求項１８】
請求項１７に記載の液体吐出ヘッドカートリッジが装着された記録装置。